(57)【要約】【課題】  乗客がエレベータのかご室内に閉じ込められた場合に、会話の不自由な乗客が乗っている場合でも、乗客が自分の伝えたいことを外部に通報することができるエレベータの非常時連絡装置を得る。【解決手段】  エレベータのかごの戸開が行われない場合に閉じ込め信号を出力する閉じ込め検出手段と、かご室内に設けられ、入力操作によって作成された任意の救出情報をかご室の外部へ出力するかご室内通報装置と、閉じ込め検出手段からの閉じ込め信号に基づいて、かご室内通報装置を操作可能にする通報装置解除手段とを備え、かご室内通報装置は、任意の救出情報を作成する入力部と、この入力部によって作成される救出情報を、入力される毎に表示する表示部とを有する。【選択図】      図３
2005212915.tif 000002
【特許請求の範囲】
【請求項１】
エレベータのかごの戸開が行われない場合に閉じ込め信号を出力する閉じ込め検出手段と、かご室内に設けられ、入力操作によって作成された任意の救出情報を前記かご室の外部へ出力するかご室内通報装置と、前記閉じ込め検出手段からの前記閉じ込め信号に基づいて、前記かご室内通報装置を操作可能にする通報装置解除手段とを備え、前記かご室内通報装置は、前記任意の救出情報を作成する入力部と、この入力部によって作成される救出情報を、入力される毎に表示する表示部とを有することを特徴とするエレベータの非常時連絡装置。
【請求項２】
入力部は、文字入力のためのテンキーを備えたことを特徴とする請求項１に記載のエレベータの非常時連絡装置。
【請求項３】
閉じ込め検出手段は、かご室外部の制御盤に設けられたことを特徴とする請求項１又は請求項２に記載のエレベータの非常時連絡装置。
【請求項４】
かご室内通報装置は、エレベータの通常運転時に開けることのできないカバーと、このカバーを開放する付勢手段とを備え、前記カバーは、通報装置解除手段によって閉じ込め信号が検出された際に、前記付勢手段によって強制的に開放されることを特徴とする請求項１から請求項３の何れかに記載のエレベータの非常時連絡装置。
【発明の詳細な説明】
【技術分野】
【０００１】
この発明は、主として、会話の不自由な乗客を対象とするエレベータの非常時連絡装置に関するものである。
【背景技術】
【０００２】
従来のエレベータの非常時連絡装置には、エレベータに接続されてエレベータを遠隔的に監視する監視施設と、この監視施設に配置されてエレベータのかご内の通報手段の人為操作によりかご内に設けられた通話手段に接続される発信手段と、かごに設けられて発信手段の操作による通報事項を視覚的に表示する視覚表示手段と、かごに設けられて監視施設に接続され人為操作により視覚表示手段の通報事項に対する返答を発信する返答用手段とを備えたものがある（例えば、特許文献１参照）。
【０００３】
【特許文献１】特開平１０−２３６７４５号公報
【発明の開示】
【発明が解決しようとする課題】
【０００４】
特許文献１記載のエレベータの非常時連絡装置では、故障等により乗客がかご室内に閉じ込められた際に、乗客の通報手段の操作による信号に対する監視施設の監視員の呼び掛けに対して、かご側からの音声による応答がない場合には、かご内に設けられた通話手段に接続される監視施設側の発信手段によって、監視施設側の通報事項がかごに設けられた視覚表示手段に表示される。この監視施設側の通報事項に対しては、かご室内に閉じ込められた乗客は、例えば、かご室内に設けられた行先階登録釦と兼用の返答用手段により返答を発信することができる。このため、会話の不自由な乗客がかご室内に閉じ込められた場合でも、かご室内の乗客と監視施設の監視員とが相互に通信でき、かご室外部の監視員は、かご室内の状況を把握することが可能となる。しかし、かご室内に閉じ込められた乗客からは、予め登録された文字メッセージ若しくは外部の監視員からの問い掛けに対する単純な返答しか行うことができず、かご室内に閉じ込められた乗客は、自分の伝えたいことやかご室内の具体的な状況等を監視員に対して通報することができないという問題が生じていた。
【０００５】
この発明は、上述のような課題を解決するためになされたもので、その目的は、乗客がエレベータのかご室内に閉じ込められた場合に、会話の不自由な乗客が乗っている場合でも、乗客が自分の伝えたいことを外部に通報することができるエレベータの非常時連絡装置を提供することである。
【課題を解決するための手段】
【０００６】
この発明に係るエレベータの非常時連絡装置は、エレベータのかごの戸開が行われない場合に閉じ込め信号を出力する閉じ込め検出手段と、かご室内に設けられ、入力操作によって作成された任意の救出情報をかご室の外部へ出力するかご室内通報装置と、閉じ込め検出手段からの閉じ込め信号に基づいて、かご室内通報装置を操作可能にする通報装置解除手段とを備え、かご室内通報装置は、任意の救出情報を作成する入力部と、この入力部によって作成される救出情報を、入力される毎に表示する表示部とを有するものである。
【発明の効果】
【０００７】
この発明は、エレベータのかごの戸開が行われない場合に閉じ込め信号を出力する閉じ込め検出手段と、かご室内に設けられ、入力操作によって作成された任意の救出情報をかご室の外部へ出力するかご室内通報装置と、閉じ込め検出手段からの閉じ込め信号に基づいて、かご室内通報装置を操作可能にする通報装置解除手段とを備え、かご室内通報装置は、任意の救出情報を作成する入力部と、この入力部によって作成される救出情報を、入力される毎に表示する表示部とを有する構成としたことで、乗客がエレベータのかご室内に閉じ込められた場合に、会話の不自由な乗客が乗っている場合でも、乗客が自分の伝えたいことを外部に通報することができる。
【発明を実施するための最良の形態】
【０００８】
実施の形態１．
図１はこの発明の実施の形態１におけるエレベータのかご室内の透視図、図２はこの発明の実施の形態１におけるエレベータのかご室内通報装置の詳細図、図３はこの発明の実施の形態１におけるエレベータの非常時連絡装置の制御を示すフローチャートである。図１において、エレベータ昇降路内を昇降するかご１には、建築物の乗場側にかご戸２が設けられており、かご室内部のかご戸２の両側には、袖壁３がそれぞれ設けられている。この袖壁３の一方上部には、行先指定やかご戸２の開閉を行う操作盤４が設けられており、他方の袖壁３の中央部には、かご室内通報装置５が設けられている。これらの操作盤４やかご室内通報装置５等の電気機器は、昇降路壁や昇降路上方の機械室等のかご室外部に設けられた制御盤６に、制御ケーブル７を介して接続されている。なお、エレベータの乗客がかご室内に閉じ込められたことを検出する閉じ込め検出手段６ａは、この制御盤６内に、また、この閉じ込め手段検出手段からの閉じ込め信号に基づいてかご室内通報装置５を操作可能にする通報装置解除手段５ａは、かご室内通報装置５内に備えられている。また、図２は他方の袖壁３に設けられたかご室内通報装置５が開いた状態を示している。通報装置５の本体８には、電気錠９、表示部１０、テンキー１１並びに削除ボタン１２、設定ボタン１３、登録ボタン１４及び送信ボタン１５等の各種ボタンが設けられている。また、この本体８には、カバー１６がヒンジ１７によって回動可能に設けられており、カバー１６の裏側には、かご室内通報装置５の取り扱い説明１８が記載されている。
【０００９】
次に、図３のフローチャートに基づいて乗客がエレベータのかご室内に閉じ込められた場合の非常時連絡装置の制御及び乗客の救出情報の入力操作について説明する。
エレベータのかご１が何らかの理由で停止し、かご戸２の戸開が行われない場合には、かご室外部の制御盤６に設けられた閉じ込め検出手段６ａによって、エレベータの乗客がかご室内に閉じ込められたとの閉じ込め信号が検出される（ステップＳ３０１）。閉じ込め検出手段６ａによって検出されたこの閉じ込め信号は、制御ケーブル７を介して、かご１側のかご室内通報装置５に設けられた通報装置解除手段５ａに出力される。通報装置解除手段５ａが閉じ込め検出手段６ａからの閉じ込め信号を受信すると、かご室内通報装置５の電気錠９が解除されて（ステップＳ３０２）、エレベータの通常運転時に電気錠９によって鍵が掛けられて開けることのできないカバー１６が開く。この時、カバー１６は、ヒンジ１７に設けられたねじりバネや、本体８とカバー１６とに設けられた磁石等によって強制的に開放される。カバー１６が開くと、かご室内から表示部１０の確認、テンキー１１及び各種ボタン１２から１５の操作、カバー１６の裏側に記載されている取り扱い説明１８の確認（ステップＳ３０３）が可能となる。エレベータのかご室内に閉じ込められた乗客は、かご室内に設けられたかご室内通報装置５に記載された取り扱い説明１８を読み、テンキー１１の操作等の入力操作によって任意の救出情報を作成し、かご室外部の管理者等に救出を求めることになる。以下にその救出情報の入力方法について説明する。
【００１０】
電気錠９は、かご戸２の戸開が行われない場合に解除されるため、かご室内通報装置５の本体８に設けられた表示部１０には、かご室内に閉じ込められたため救出して欲しい旨の標準メッセージが最初から表示され、登録されている。かご室内に閉じ込められた乗客は、表示部１０に表示された標準メッセージを確認して（ステップＳ３０４）、標準メッセージ通りの内容を外部に伝えたい場合には、送信ボタン１５を押す（ステップＳ３０５）。すると、予め登録されている表示部１０に表示された内容が、かご室の外部に通報され（ステップＳ３０６）、管理者等に対して通報が行われる。外部への通信が正常に終了した場合には、その旨のメッセージが表示部１０に表示される。
【００１１】
また、かご室内に閉じ込められた乗客が、表示部１０に最初から表示されている標準メッセージとは異なる情報を外部に伝えたい場合には、カバー１６裏側に記載された取り扱い説明１８の操作方法に従って、外部との通信を行うことができる。先ず、表示部１０の内容をリセットするために設定ボタン１３を押す（ステップＳ３０７）。次に、テンキー１１を押して自分の伝えたい任意の救出情報を作成する（ステップＳ３０８）。この時、乗客は自分の入力した文字が入力される毎に表示部１０に表示されるため、自分の目で確認しながら文章を作成することが可能である。なお、テンキー１１の誤操作等により入力文字を間違えた場合には、削除ボタン１２を押すことによって入力した文字等を削除して文章を修正することができる（ステップＳ３０９）。テンキー１１の操作により、自分の伝えたい文章が完了したら、作成した救出情報を登録するため、登録ボタン１４を押す（ステップＳ３１０）。乗客は再度表示部１０に表示された救出情報を確認し（ステップＳ３１１）、文章に間違いがなければ、外部に通報するために送信ボタン１５を押す。文章に間違いを発見し、文章を修正したい場合には、削除ボタン１２を押すことで文章の修正をすることが可能となる。以上のようにして、テンキー１１や各種ボタン１２から１５等から構成される入力部によって救出情報を作成し、かご室外部の管理者等に通報することができる。なお、かご室内の乗客から救出情報が送信されたかご室外部の管理者は、必要があれば救出情報に対する応答文を送信して、かご室内の表示部１０に表示させることも可能である。
【００１２】
この発明の実施の形態１によれば、故障等によって会話の不自由な乗客がかご室内に閉じ込められた場合でも、かご室内通報装置５を使用して外部の管理者等に状況を通報することができる。また、かご室内通報装置５の入力部は、テンキー１１等が設けられているため、任意の文章を作成することができ、会話の不自由な乗客でも、自分の伝えたいことを外部の管理者等に通報することが可能である。このため、例えば、聴覚障害をもつ乗客等がかご室内に閉じ込められた場合でも、外部の管理者等と相互に自分の伝えたいことを通信することができ、二次的な自己を防止したり、閉じ込められた乗客の恐怖感を緩和したりすることができる。また、かご室内通報装置５は、閉じ込め検出手段６ａによって閉じ込め信号が検出された場合のみ電気錠９が解除されて、操作可能となるため、カバー１６が閉じているエレベータの通常運転時に、いたずら等をされる恐れはなく、かご室内通報装置５の故障を防止することが可能である。
【００１３】
なお、実施の形態１では、閉じ込め信号が閉じ込め検出手段６ａによって検出された場合にカバー１６が開いて操作可能となる構成であるが、カバー１６は常時開閉可能な構成を成し、閉じ込め信号が検出された場合のみ、テンキー１１の操作が可能となる構成としても、実施の形態１と同様の効果が得られることは言うまでもない。また、かご室内通報装置５のカバー１６は、閉じ込め信号が検出された場合のみ開く構成となっているが、万一に備え、閉じ込め信号が検出された場合の他に、外部の管理者の操作によっても電気錠９の解除及びカバー１６の開放が行われるような構成としても良い。
【図面の簡単な説明】
【００１４】
【図１】この発明の実施の形態１におけるエレベータのかご室内の透視図である。
【図２】この発明の実施の形態１におけるエレベータのかご室内通報装置の詳細図である。
【図３】この発明の実施の形態１におけるエレベータの非常時連絡装置の制御を示すフローチャートである。
【符号の説明】
【００１５】
１  かご
２  かご戸
３  袖壁
４  操作盤
５  かご室内通報装置
５ａ  通報装置解除手段
６  制御盤
６ａ  閉じ込め検出手段
７  制御ケーブル
８  本体
９  電気錠
１０  表示部
１１  テンキー
１２  削除ボタン
１３  設定ボタン
１４  登録ボタン
１５  送信ボタン
１６  カバー
１７  ヒンジ
１８  取り扱い説明
【図１】
2005212915.tif 000003
【図２】
2005212915.tif 000004
【図３】
2005212915.tif 000005